(57)【要約】【課題】  不正な意図に基づく偽造や改ざんの防止、真贋判定を目的とし、ホログラムの輝度を保ちつつ、色彩可変効果及び円偏光性の機能を付与した真贋判定用媒体等を提供する。【解決手段】  円偏光性を有する色彩可変印刷とホログラムを融合させた真贋判定用媒体１において、ホログラム形成層５と接してアルミ蒸着部６を部分的に設ける。アルミ蒸着部６において、ホログラム形成層５により形成されるホログラム図柄５’は輝度を保持することができる。色彩可変印刷層２は、アルミ未蒸着部６’において色彩可変効果、円偏光性の機能を有する。アルミ蒸着部６は、デメタライズ処理によりパターニングする。また、アルミ蒸着部６と接して粘着剤層７を積層し、真贋判定用媒体１を任意の物品に貼付可能とする。【選択図】  図１
2007090538.tif 000002
【特許請求の範囲】
【請求項１】
配向性を有する基材において、前記基材の一方の表面上に、入射光のうち左円偏光、または、右円偏光のいずれか一方を反射する光選択反射性層を有し、前記基材の前記光選択反射層と同じ側、あるいは、反対側にホログラム形成層を有し、前記ホログラム層と接してアルミ蒸着層を部分的に設けたことを特徴とする真贋判定用媒体。
【請求項２】
前記光選択反射層は、パターン印刷であることを特徴とする請求項１記載の真贋判定用媒体。
【請求項３】
前記アルミ蒸着層は、デメタライズ処理によりパターニングされていることを特徴とする請求項１記載の真贋判定用媒体。
【請求項４】
前記光選択反射層は、コレステリック液晶層であることを特徴とする請求項１記載の真贋判定用媒体。
【請求項５】
前記ホログラム形成層には、マイクロ文字、レーザ再生機能等の隠しセキュリティをエンボスとして記録されていることを特徴とする請求項１記載の真贋判定用媒体。
【請求項６】
請求項１記載の真贋判定用媒体の前記アルミ蒸着層と接して、粘着剤層を有していることを特徴とする真贋判定用ラベル。
【請求項７】
前記粘着剤層は、黒染料等により黒着色されていることを特徴とする請求項６記載の真贋判定用ラベル。
【請求項８】
前記請求項１記載の真贋判定用媒体が、真贋判定対象である情報記録体の表面に積層されているか、あるいは、前記情報記録体の一部に可視可能に有することを特徴とする真贋判定可能な情報記録体。
【発明の詳細な説明】
【技術分野】
【０００１】
本発明は、不正な意図に基づく偽造や改ざんの防止、真贋判定を目的とし、ホログラムの輝度を保ちつつ、色彩可変効果及び円偏光性の機能を付与した真贋判定用媒体に関する。
【背景技術】
【０００２】
例えば、クレジットカード、預貯金用カード、各種金券、もしくは身分証明書等は、偽造されたり改ざんされて不正に使用されると色々な支障を招くので、偽造や改ざんによる損害を防止するために、そのものの真正性を識別できる機能を有することが望まれる。また、例えば腕時計、皮革製品、貴金属製品、宝飾品、衣類、バッグ等の高級品、オーディオ製品、電化製品、化粧品、または媒体に記録された音楽ソフト、映像ソフト、ゲームソフト、もしくはコンピュータソフトも偽造の対象となるため、同様に真正性を識別するための機能を有することが望まれる。
【０００３】
従来、上記の物品を含めた様々な物品の真正性の識別を可能とする目的で、構造の精密さから製造上の困難性を有するホログラムが多用されている。しかし、ホログラムの製造方法は専門家には知られており、また、ホログラムが精密なものであるため、真正なホログラムと偽造されたホログラムとの区別は困難である。
【０００４】
そこで、ホログラムに代わるものとして、基材と基材の一方の面に形成され、入射した光のうち左回り偏光、または右回り偏光のいずれか一方の光のみを反射する光選択反射層と光選択反射層の少なくとも一部に形成され、新製品を判定する判定情報を備える判定部とを有する真贋判定用媒体が提案された。（例えば、特許文献１、特許文献２参照）
【０００５】
【特許文献１】特願２００３−１９００８８号公報
【特許文献２】特願２００４−２３７１９４号公報
【発明の開示】
【発明が解決しようとする課題】
【０００６】
しかしながら、円偏光性を有するホログラムラベルは、Ｔｉ０２等で透明金属蒸着層を形成しているため、ホログラムの輝度が低下する。また、ホログラムの輝度を保つためにアルミなどの金属蒸着層を形成すると、アルミ蒸着層上の色彩可変印刷の円偏光性機能がなくなり、色彩可変効果もほとんどなくなってしまう。
【０００７】
本発明は、このような問題に鑑みてなされたもので、その目的とするところは不正な意図に基づく偽造や改ざんの防止、真贋判定を目的とし、ホログラムの輝度を保ちつつ、色彩可変効果及び円偏光性の機能を付与した真贋判定用媒体等を提供することにある。
【課題を解決するための手段】
【０００８】
前述した目的を達成するために第１の発明は、配向性を有する基材において、前記基材の一方の表面上に、入射光のうち左円偏光、または、右円偏光のいずれか一方を反射する光選択反射性層を有し、前記基材の前記光選択反射層と同じ側、あるいは、反対側にホログラム形成層を有し、前記ホログラム層と接してアルミ蒸着層を部分的に設けたことを特徴とする真贋判定用媒体である。
【０００９】
真贋判定用媒体の光選択反射層は、コレステリック液晶層で、パターン印刷により形成する。このため、光選択反射層をより複雑なデザインとすることができ、セキュリティ性が向上する。また、光選択反射層をベタ印刷ではなくパターン印刷とすることにより、円偏光板を被せて目視で判別することが容易となる。
アルミ蒸着層は、デメタライズ処理によりパターニングする。ホログラム形成層には、マイクロ文字、レーザ再生機能等の隠しセキュリティをエンボスとして記録する。
【００１０】
真贋判定用媒体は、アルミ蒸着層と接して粘着剤層を有している。粘着剤層を黒染料等により黒着色することにより、光選択反射層の色彩可変効果、円偏光性機能が向上する。粘着剤層は透明色で、被着体の色を黒としても同様の効果が得られる。
【００１１】
第２の発明は、真贋判定用媒体が、真贋判定対象である情報記録体の表面に積層されているか、あるいは、情報記録体の一部に可視可能に有することを特徴とする真贋判定可能な情報記録体である。
【発明の効果】
【００１２】
本発明によれば、不正な意図に基づく偽造や改ざんの防止、真贋判定を目的とし、ホログラムの輝度を保ちつつ、色彩可変効果及び円偏光性の機能を付与した真贋判定用媒体等を提供することができる。
【発明を実施するための最良の形態】
【００１３】
以下、添付図面を参照しながら、本発明に係る真贋判定用媒体等の好適な実施形態について詳細に説明する。
【００１４】
最初に、図１、２、３、４、５、６、７、８を参照しながら、本発明の実施の形態に係る真贋用判定媒体の構成について説明する。
図１、２、３、４は、真贋判定用媒体１の断面の積層構造を示す図、図５、６、７、８は、真贋判定用媒体１を上方向から見た図である。
【００１５】
図１に示すように、本発明の真贋判定用媒体１は、ポリエチレンテレフタレートＰＥＴ（polyethylene terephthalate）層３の表面に、見る角度により異なる色を与える色彩可変印刷層２を積層し、ＰＥＴ層３のもう一方の面に剥離層４を介してホログラム形成層５、アルミ蒸着部６、粘着剤層７を積層する。ホログラム形成層５と接してアルミ蒸着部６を部分的に設けることにより、色彩可変印刷層２の円偏光性機能、色彩可変効果を有しながら、ホログラムの輝度を保つことができる。
【００１６】
色彩可変印刷層２は、コレステリック液晶層からなる。配向状態にあるコレステリック液晶層は、入射した光のうち、左円偏光もしくは右円偏光のいずれか一方のみを反射する性質を有している。
【００１７】
コレステリック液晶層は、コレステリック液晶を含む組成物である溶剤溶液を塗布し、乾燥させることにより形成することができる。あるいは、重合性のコレステリック液晶組成物を用いて、紫外線重合性組成物を調整して用い、塗布及び乾燥後に紫外線を照射して重合させて形成することができる。
色彩可変印刷層２は、コレステリック液晶インキを使用して、グラビア印刷などの凹版印刷、オフセット方式などの平版印刷、凸版印刷、スクリーン印刷またはインクジェット印刷等、通常用いられる方法でＰＥＴ層３上に印刷することにより形成することができる。コレステリック液晶インキは、顔料そして左円偏光または右円偏光のいずれか一方の光のみを反射するコレステリック液晶分子を含んでいる。
色彩可変印刷層２はパターン形成してもよいし、ベタに積層してもよい。
また、色彩可変印刷層２は、ＰＥＴ層３のホログラム形成層５側の面に形成してもよい。
【００１８】
ＰＥＴ層３は、真贋判定用媒体１の担体となる基材である。
剥離層４は、ＰＥＴ層３の色彩可変印刷層２を積層した面と反対側面に形成する。
【００１９】
ホログラム形成層５は、マイクロ文字あるいはレーザ再生機能等、色彩可変印刷層２以外の隠しセキュリティをエンボスとして記録することもできる。ホログラム形成層５は、色彩可変印刷層２と比べて偽造が容易ではあるが、隠しセキュリティを施すことにより、万が一、色彩可変印刷層２のような光選択反射性材料による偽造品が出てきたとしても、ホログラム形成層５内の隠しセキュリティをチェックし、真贋を判定することが可能となる。
【００２０】
ホログラム形成層５の剥離層４と接した反対の面にアルミを部分蒸着したアルミ蒸着部６を形成する。アルミ蒸着部６は、デメタライズ処理によりパターニングしてもよい。ホログラムは反射層がないと可視状態とならないため、アルミを蒸着した部分はホログラムが見えるが、蒸着のない部分はホログラムが見えなくなる。
アルミの蒸着がない部分のホログラムが見えるようにするため、ホログラム形成層５にアルミを蒸着した後、透明金属を蒸着してもよい。
【００２１】
図１の真贋判定用媒体１は、色彩可変印刷層２をパターン形成で積層し、アルミ蒸着部６にパターニングは施していない。また、図２、は色彩可変印刷層２をベタで積層し、アルミ蒸着部６にパターニングを施していない真贋判定用媒体１、図３は、色彩可変印刷層２をベタで積層し、アルミ蒸着部６にパターニングを施した真贋判定用媒体１、図４は、色彩可変印刷層２をパターン形成で積層し、アルミ蒸着部６にパターニングを施した真贋判定用媒体１である。
【００２２】
粘着剤層７は、真贋判定を必要とする任意の物品に真贋判定用媒体１を接着するための層で、アルミ蒸着部６を蒸着したホログラム形成層７に積層される。
粘着剤層７は、アクリル系接着剤、天然ゴム系接着剤、合性ゴム系接着剤またはシリコンゴム系接着剤等を塗布して形成し、シート等のセパレータ８に一時的に接着しておく。
【００２３】
図５は、図１の真贋判定用媒体１を上方向から見た図である。
真贋判定用媒体１は、色彩可変印刷層２によりパターン形成された「ＡＢＣＤ」という文字と、ホログラム形成層５により形成されたホログラム絵柄５’、アルミ蒸着部６、アルミ未蒸着部６’を有する。
アルミ未蒸着部６’にある色彩可変印刷層２による「ＡＢＣＤ」の文字は、コレステリック液晶のらせんピッチに基づいて着色して見えるが、アルミ蒸着部６においては円偏光性機能、色彩可変効果がなくなり、「ＡＢＣＤ」の文字は暗く見えにくくなる。
ホログラム絵柄５’はアルミ蒸着部６にあるため、輝度が高くなる。
【００２４】
図６は、図２の真贋判定用媒体１を上方向から見た図である。
真贋判定用媒体１は、一面をベタに積層した色彩可変印刷層２、ホログラム形成層５により形成されたホログラム絵柄５’、アルミ蒸着部６、アルミ未蒸着部６’を有する。
アルミ未蒸着部６’にある色彩可変印刷層２の部分は、コレステリック液晶のらせんピッチに基づいて着色して見えるが、アルミ蒸着部６においては円偏光性機能、色彩可変効果がなくなる。
ホログラム絵柄５’はアルミ蒸着部６にあるため、輝度が高くなる。
【００２５】
図７は、図３の真贋判定用媒体１を上方向から見た図である。
真贋判定用媒体１は、一面をベタに積層した色彩可変印刷層２、ホログラム形成層５により形成されたホログラム絵柄５’、アルミ蒸着部６、アルミ未蒸着部６’を有する。マスキング処理により、アルミ蒸着部６は縞状態となっている。
アルミ未蒸着部６’にある色彩可変印刷層２の部分は、コレステリック液晶のらせんピッチに基づいて着色して見えるが、アルミ蒸着部６においては円偏光性機能、色彩可変効果がなくなる。
ホログラム絵柄５’はアルミ蒸着部６にあるため、輝度が高くなる。
【００２６】
図８は、図４の真贋判定用媒体１を上方向から見た図である。
真贋判定用媒体１は、色彩可変印刷層２によりパターン形成された「ＡＢＣＤ」という文字と、ホログラム形成層５により形成されたホログラム絵柄５’、アルミ蒸着部６、アルミ未蒸着部６’を有する。マスキング処理により、アルミ蒸着部６は縞状態となっている。
アルミ未蒸着部６’にある色彩可変印刷層２による「ＡＢＣＤ」の文字は、コレステリック液晶のらせんピッチに基づいて着色して見えるが、アルミ蒸着部６においては円偏光性機能、色彩可変効果がなくなり、「ＡＢＣＤ」の文字は暗く見えにくくなる。
ホログラム絵柄５’はアルミ蒸着部６にあるため、輝度が高くなる。
【００２７】
次に、図９、１０を参照しながら、真贋判定用媒体１を適用した情報記録体１０について説明する。図９は、真贋判定用媒体１を適用した情報記録体１０を示す図、図１０は、情報記録体１０に円偏光板を被せた状態の図である。
【００２８】
情報記録体１０は、表面の一部に真贋判定用媒体を積層して構成している。情報記録体１０は、紙やプラスチックシート等を基材とするシート状のもので、例えば、クレジットカード、預貯金用カード、各種金券、もしくは身分証明書等である。図９の情報記録体１０は商品券で、商品券として利用するための金額、発行会社、注意書き等の文字、彩紋等の情報が印刷等の手段により記録されている。また、情報記録媒体１０は、真贋判定用媒体の色彩可変印刷部２により形成された「１０００」という文字、ホログラム形成層５により形成されたホログラム絵柄５’、アルミ蒸着部６を有する。
色彩可変印刷層２による「１０００」の文字はアルミ未蒸着部にあるため、コレステリック液晶のらせんピッチに基づいて着色して見える。
ホログラム絵柄５’はアルミ蒸着部６にあるため、輝度が高くなる。
【００２９】
図１０は、図９に示す情報記録体１０に円偏光板１２を被せた状態を示した図である。色彩可変印刷層２は、右円偏光性もしくは左円偏光性を有する。色彩可変印刷層２の円偏光性に合わせた円偏光板１２を情報記録体１０の上に被せると、色彩可変印刷層２で形成される「１０００」という文字は目視できない。
【００３０】
以上、説明したように本実施によれば、不正な意図に基づく偽造や改ざんの防止、真贋判定を目的とし、ホログラムの輝度を保ちつつ、色彩可変効果及び円偏光性の機能を付与した真贋判定用媒体等を提供できる。
【００３１】
入射光のうち、左円偏光または右円偏光のいずれか一方を反射する色彩可変印刷層と、ホログラム形成層を有する真贋判定用媒体において、ホログラム形成層にアルミを部分的に蒸着することにより、ホログラムの輝度を保持しながら、色彩可変印刷層の色彩可変効果及び円偏光性の機能を付与することができるため、意匠性、セキュリティ性に優れた真贋判定用媒体となる。
【００３２】
色彩可変印刷層をパターン印刷することにより、真贋判定用媒体のデザインを複雑にすることが可能で、セキュリティ性も向上する。また、円偏光板を用いた真贋判定を行う際、ベタ印刷よりも目視判別が容易となる。
【００３３】
下地となる粘着剤層に黒染料等を混入して黒色としたり、あるいは、粘着剤層は透明色で、黒色の基材に真贋判定用媒体を貼付すると、アルミ蒸着層のデメタライズ処理により、アルミ蒸着のない部分の色彩可変印刷層の色彩可変効果、円偏光性効果を向上することができる。
また、デメタライズ処理を施してアルミ蒸着によるホログラムパターンを形成することが可能となるため、意匠性、セキュリティ性が向上する。
【００３４】
以上、添付図面を参照しながら本発明に係る真贋判定用媒体の好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００３５】
【図１】真贋用判定媒体１の断面の積層構造を示す図（層構成１）
【図２】真贋用判定媒体１の断面の積層構造を示す図（層構成２）
【図３】真贋用判定媒体１の断面の積層構造を示す図（層構成３）
【図４】真贋用判定媒体１の断面の積層構造を示す図（層構成４）
【図５】真贋判定用媒体１を上方向から見た図（層構成１）
【図６】真贋判定用媒体１を上方向から見た図（層構成２）
【図７】真贋判定用媒体１を上方向から見た図（層構成３）
【図８】真贋判定用媒体１を上方向から見た図（層構成４）
【図９】真贋判定用媒体１を適用した情報記録体１０を示す図
【図１０】情報記録体１０に円偏光板を被せた状態の図
【符号の説明】
【００３６】
１………真贋判定用媒体
２………色彩可変印刷層
３………ＰＥＴ層
４………剥離層
５………ホログラム形成層
６………アルミ蒸着部
７………粘着剤層
８………セパレータ
【図１】
2007090538.tif 000003
【図２】
2007090538.tif 000004
【図３】
2007090538.tif 000005
【図４】
2007090538.tif 000006
【図５】
2007090538.tif 000007
【図６】
2007090538.tif 000008
【図７】
2007090538.tif 000009
【図８】
2007090538.tif 000010
【図９】
2007090538.tif 000011
【図１０】
2007090538.tif 000012